(57)【特許請求の範囲】
【請求項１】
長手方向に中心軸と同軸に貫通穴が設けられたボルトと、前記ボルトが前記貫通穴に挿通可能で同軸状の円筒状に形成された弾性体と、前記ボルトが挿通される孔を有し前記弾性体の両端位置に装着されて前記弾性体の端面を押圧する挟持部材と、前記挟持部材の一方に位置して前記ボルトが同軸に挿通されスラスト方向の力を受けるベアリングと、前記ボルトに螺合し前記ベアリングを介して前記挟持部材間の間隔を狭めて前記弾性体を締め付ける締め付けナットと、前記ボルトの貫通穴に連通し連結可能に形成された管継手と、この管継手の他方の開口部に連結され弁を内部に備えたソケットカプラとから成ることを特徴とする配管密閉治具。
【請求項２】
前記管継手は、Ｌ字型に形成されていることを特徴とする請求項１記載の配管密閉治具。
【請求項３】
前記管継手は、Ｔ字型に形成され、一対の開口部に各々ソケットカプラを備えたことを特徴とする請求項１記載の配管密閉治具。
【請求項４】
前記ボルトの貫通穴端部の内壁に雌ネジ部が形成され、前記ボルト端部の雌ネジ部に螺合した雄ネジ部を有するニップルを有し、このニップルの他方の雄ネジ部が前記管継手の雌ネジ部に螺合していることを特徴とする請求項１，２または３記載の配管密閉治具。
【発明の詳細な説明】
【技術分野】
【０００１】
この発明は、地下に埋設されたタンクや配管の漏洩検査などの際に、タンクに設けられた配管開口部に装着して開口部を塞ぐ配管密閉治具に関する。
【背景技術】
【０００２】
従来、例えばガソリンスタンドなどに設置される地下タンクの漏洩検査では、タンク内を密閉状態にして検査が行われる。そのため、タンクに設けられた換気口などは、蓋を装着して密閉する必要がある。さらに内部の圧力検査を行う場合、タンク内の空気を抜いたり、圧送したりするための治具も接続される。また、検査用に用いる圧力計なども開口した配管に装着される。
【０００３】
そのほか、特許文献１，２には、配管の開口部を閉鎖する器具や漏洩試験用治具も提案されている。
【特許文献１】特開平８−２１８４８２号公報
【特許文献２】特開２００１−２８１０８８号公報
【発明の開示】
【発明が解決しようとする課題】
【０００４】
上記従来の技術では、タンクに設けられた換気口などに、検査のために装着される治具は、単に開口部を密閉するだけで、内部の圧力を検知可能な構造ではなかった。また、蓋部材を被せる構造の場合、換気口の開口部周囲側面に形成された雄ネジ部に、配管治具の装着部を螺合させて装着していた。このため、レンチなどを用いて締める必要があり、手間がかかり、取り付け作業の効率がよくないものであった。
【０００５】
また、特許文献１に開示される器具は、配管などの密閉検査に用いることができるものではなく、耐圧性等の性能も十分でない。特許文献２に開示された漏洩検査治具も、構造が複雑であり、簡単に密閉して漏洩検査を行うことができるものではない。
【０００６】
この発明は、上記従来技術の問題に鑑みて成されたもので、装着が容易で、配管などの内側を完全に密閉可能な配管密閉治具を提供することを目的とする。
【課題を解決するための手段】
【０００７】
この発明は、長手方向に中心軸と同軸に貫通穴が設けられたボルトと、前記ボルトが前記貫通穴に挿通可能で同軸状の円筒状に形成された弾性体と、前記ボルトが挿通される孔を有し前記弾性体の両端位置に装着されて前記弾性体の端面を押圧する挟持部材と、前記挟持部材の一方に位置して前記ボルトが同軸に挿通されスラスト方向の力を受けるベアリングと、前記ボルトに螺合し前記ベアリングを介して前記挟持部材間の間隔を狭めて前記弾性体を締め付ける締め付けナットと、前記ボルトの貫通穴に連通し連結可能に形成された管継手と、この管継手の他方の開口部に連結され弁を内部に備えたソケットカプラとから成る配管密閉治具である。
【０００８】
前記管継手は、Ｌ字型に形成され多ものや、Ｔ字型に形成され、一対の開口部に各々ソケットカプラを備えたものでも良い。
【０００９】
また、前記ボルトの貫通穴端部の内壁に雌ネジ部が形成され、前記ボルト端部の雌ネジ部に螺合した雄ネジ部を有するニップルを有し、このニップルの他方の雄ネジ部が前記管継手の雌ネジ部に螺合しているものでも良い。
【発明の効果】
【００１０】
この発明の配管密閉治具によれば、管などの開口部に嵌挿するだけで容易に装着でき、気密性が高く、軽い力で締め付け可能なものである。また、漏洩検査等の内部圧力の検査に利用することができる。さらに、Ｌ字型やＴ字型に形成することにより、配管内に落下することがなく、作業の安全性も高い。
【発明を実施するための最良の形態】
【００１１】
以下、この発明の配管密閉治具の第一実施形態について、図１、図２を基にして説明する。この実施形態の配管密閉治具１０は、地下タンクの漏洩検査等の際に、配管端部の開口部に装着して内部を密閉する治具として使用される。この配管密閉治具１０は、図１に示すように、長手方向中央に貫通穴１２ａが設けられたボルト１２を備え、ボルト１２にワッシャ１４が挿通されてシリコンゴムなどから形成された円筒状の弾性体１６が、ボルト１２に挿通されている。さらに、弾性体１６の反対側にもワッシャ１４が装着され、一対のワッシャ１４により弾性体１６の挟持部材を構成している。
【００１２】
ボルト１２の頭部とは反対側のワッシャ１４には、同軸にスラスト方向の力を受けるベアリング１８が積層され、締め付けナット２０がボルト１２に螺合されている。ボルト１２の先端部は、両端開口部内に雌ネジが形成された金属製のＬ型管継手２２に螺合している。
【００１３】
また、Ｌ型管継手２２の他方の開口部には、金属製のソケットカプラ２４の雄ネジ部が螺合している。ソケットカプラ２４には、貫通穴が形成され摺動可能な円筒状のスライド筒２４ａが設けられている。このスライド筒２４ａは、バネなどにより弾性付加され、ソケットカプラ２４内の図示しない連結部をロック可能に形成されている。そして、このソケットカプラ２４は、何も連結されていない状態で内部の弁は密閉され、気密状態を維持する。また、ソケットカプラ２４は、図２に示す後述の接続管２６に取り付けられたプラグカプラ２８のプラグ部２８ａが嵌挿されると、内部の弁が開くとともに、管路が連通状態となりプラグカプラ２８のプラグ部２８ａがロックされる。
【００１４】
接続管２６は、図２に示すように、Ｔ型に形成されたＴ型管継手３０を備え、その三方に設けられた開口部３０ａに各々螺合されている。接続管２６のＴ字の中央部に位置する一つの開口部３０ａには、管路に連通する図示しない圧力計などが接続可能に、ソケットカプラ２４が螺合している。また、Ｔ字の対面する一対の開口部３０ａの一方には、プラグカプラ２８の雄ネジ部２８ｂが螺合し、プラグ部２８ａが突出している。また、他方の開口部３０ａには、両端に雄ネジが形成され中空の管路を有するニップル３２の一方の雄ネジ部３２ａが螺合している。このニップル３２の他方の雄ネジ部３２ｂは、開閉可能にレバー３４を有するバルブ３６の管接続口３６ａに螺合し、さらに、バルブ３６の他方の管接続口３６ｂには、他のプラグカプラ２８の雄ネジ部２８ｂが螺合している。
【００１５】
次に、この実施形態の配管密閉治具１０の使用方法について説明する。まず、配管密閉治具１０を、Ｌ型管継手２２を上方にして、例えば、貯蔵タンクなどに繋がる管路の換気口に弾性体１６の外周が内接する位置に嵌挿する。そして、締め付けナット２０をレンチ等により締め付け方向へ旋回させると、弾性体１６がナット２０の移動により押圧され外周が膨張する。すると、換気口の内壁に弾性体１６の膨張した外周面が密着し、換気口を密閉状態にする。同時に、配管密閉治具１０が固定される。次に、ソケットカプラ２４へ図２に示す接続管２６の一方のプラグカプラ２８のプラグ部２８ａを嵌挿して接続する。このとき、Ｔ型管継手３０に取り付けられた側のプラグカプラ２８のプラグ部２８ａを嵌挿しバルブ３６を閉じた状態にすると、接続管２６のソケットカプラ２４に接続した圧力計により、タンク内の圧力が計測可能になる。また、接続管２６の他方のプラグカプラ２８には、コンプレッサや真空ポンプから延びたホース等が接続される。
【００１６】
この実施形態の配管密閉治具１０によれば、地下タンクに設けられた点検口や換気口を塞いだり、内部の圧力を測定する際に、容易に管路開口部に装着し、検査等を行うことができるものである。また、ベアリング１８を介して締め付けナット２０が設けられており、軽く旋回可能なため、容易に締め付け可能であり、作業が楽であり、簡単に密閉状態に装着可能なものである。また、配管内径より長いＬ型に形成されているので、点検口や換気口に装着された状態で、誤って落下することがなく、安全なものである。
【００１７】
次に、この発明の第二実施形態の配管密閉治具について、図３を基にして説明する。ここで、上記第一実施形態と同様の部材は同一符号を付して説明を省略する。この実施形態の配管密閉治具５０は、上記第一実施形態と同様に、ボルト１２に貫通穴１２ａが設けられ、貫通穴１２ａの先端部には、雌ネジが形成されている。そして、このボルト１２には、ワッシャ１４が装着されている。さらにボルト１２には、シリコンゴムなどから形成された円筒状の弾性体１６が挿通されている。そして、他のワッシャ１４がボルト１２に装着され、そのワッシャ１４の上にスラスト方向の力を受けるベアリング１８が同軸に設けられ、締め付けナット２０がその外側に位置してボルト１２に螺合されている。
【００１８】
このボルト１２の端部の雌ネジ部には、ニップル３２の一方の雄ネジ部３２ａに螺合されている。また、ニップル３２の他方の雄ネジ部３２ｂは、Ｔ型管継手３０の中心位置の開口部３０ａの雌ネジ部へ螺合している。さらに、Ｔ型管継手３０の対向する残りの２つの開口部３０ａには、ソケットカプラ２４の雄ネジ部２４ｂが螺合している。
【００１９】
次に、この実施形態の配管密閉治具５０の使用方法について説明する。まず、図３に示す配管密閉治具５０を、貯蔵タンクなどの換気口に弾性体１６の外周が内接する位置に嵌挿する。そして、締め付けナット２０をレンチ等により締め付け方向へ旋回させて、弾性体１６を上下から押圧し、外周へ膨張させる。すると、換気口の内壁に弾性体の膨張した外周が密着し、換気口を密閉状態にすると同時に固定される。
【００２０】
そして、この実施形態の配管密閉治具５０には、上記第一実施形態と同じく図２に示す接続管２６が接続可能である。Ｔ型管継手３０に取り付けられたどちらか一方のソケットカプラ２４に、図２に示す接続管２６のプラグカプラ２８を嵌挿する。この際、Ｔ型管継手３０に取り付けられた側のプラグカプラ２８のプラグ部２８ａを嵌挿すると、接続管２６のソケットカプラ２４に接続した圧力計により、タンク内の圧力が計測可能になる。接続管２６の他方のプラグカプラ２８には、コンプレッサや真空ポンプから延びたホースが接続される。また、配管密閉治具５０のＴ型管継手３０の空きソケットカプラ２４に、圧力計などを接続してもよい。
【００２１】
この実施形態の配管密閉治具５０によれば、地下タンクに設けられた点検口や換気口周囲に螺子山が形成されていない比較的大きな径を有する配管口でも、容易に装着できるものである。また、ベアリング１８を介して締め付けナット２０が設けられ軽く旋回可能であるため、締め付けが容易なものである。さらに、Ｔ型管継手３０が握りやすい形状なため、容易に支持でき、配管内径より長いＴ型形状のため配管内に落下することもない。
【００２２】
なお、この発明の配管密閉治具は上記実施形態に限定されるものではなく、挟持部材はベアリングが兼用しても良く、ボルトが挿通された弾性体は、外形が管路等の開口部に装着可能に形成されていればよい。さらに、弾性体は、ボルトに嵌挿された状態で、ナットにより締め付けられると膨張可能に適宜な弾性を有していれば、素材など適宜変更可能である。
【図面の簡単な説明】
【００２３】
【図１】この発明の第一実施形態の配管密閉治具を示す正面図である。
【図２】この実施形態の配管密閉治具に連結される接続管を示す正面図である。
【図３】この発明の第二実施形態の配管密閉治具を示す正面図である。
【符号の説明】
【００２４】
１０  配管密閉治具
１２  ボルト
１２ａ  貫通穴
１４  ワッシャ
１６  弾性体
１８  ベアリング
２０  締め付けナット
２２  管継手
２４  ソケットカプラ
２８  プラグカプラ
【図１】
0004421554.tif 000002
【図２】
0004421554.tif 000003
【図３】
0004421554.tif 000004